(57)【特許請求の範囲】
【請求項１】
傘のシャフトの下端に取り付けられる傘のハンドルであって、直線方向に延びる筒状のハンドル本体と、該ハンドル本体の下部に形成した開口部から該ハンドル本体の側方に突出する側方突出部とを備え、該側方突出部を屈曲可能として、前記ハンドル本体の内部に押し込み可能とし且つハンドル本体の内部から側方突出位置まで突出させることができるようにし、前記側方突出部は、複数の小ブロックを互いに回転自在に軸支して連結した構成とし、各小ブロックに回転範囲を規制する係止面を設け、前記回転範囲を前記側方突出部がまっすぐな状態と一方向に所定角度屈曲した状態との間で屈曲自在となるように設定したことを特徴とする傘のハンドル。
【発明の詳細な説明】
【技術分野】
【０００１】
本発明は、傘のハンドルに関する。
【背景技術】
【０００２】
使用時には、柄を長くして使いやすく、かつ不使用時には柄を短くした形態に便利な長傘が従来知られている（例えば特許文献１参照）。
【先行技術文献】
【特許文献】
【０００３】
【特許文献１】特開２００３−１１１６０８号公報
【発明の概要】
【発明が解決しようとする課題】
【０００４】
傘の柄の部分即ちハンドルが側方突出部を有するＬ字状あるいはＵ字状の場合、不使用時、ハンドルの側方突出部が横幅方向にかさばってしまい、きわめて不便であった。
本発明は上記問題点を解決することを目的とする。
【課題を解決するための手段】
【０００５】
上記目的を達成するため本発明は、傘のシャフトの下端に取り付けられる傘のハンドルであって、直線方向に延びる筒状のハンドル本体と、該ハンドル本体の下部に形成した開口部から該ハンドル本体の側方に突出する側方突出部とを備え、該側方突出部を屈曲可能として、前記ハンドル本体の内部に押し込み可能とし且つハンドル本体の内部から側方突出位置まで突出させることができるようにしたものである。
また本発明は、前記側方突出部は、複数の小ブロックを互いに回転自在に軸支して連結し全体として屈曲自在とし、各小ブロックに弾力性を有するワイヤを貫通し、該ワイヤの弾性力により、前記側方突出部をＵ字状に湾曲する方向に付勢したことを特徴とする。
また本発明は、前記側方突出部の各小ブロックに回転範囲を規制する係止面を設け、前記回転範囲を前記側方突出部がまっすぐな状態と一方向に所定角度屈曲した状態との間で屈曲自在となるように設定したことを特徴とするものである。
また本発明は、前記ハンドル本体の下部に形成した開口部に対向してガイド面を設け、該ガイド面によって前記側方突出部を屈曲方向に規制したことを特徴とする。
また本発明は、前記ハンドル本体にスプリングを配置し、該スプリングの弾力により、前記ハンドル本体内の側方突出部を前記開口部から突出する方向に付勢したことを特徴とするものである。
また本発明は、前記ハンドル本体の内部に押し込まれた側方突出部が係止ピンと係止穴の構成によってハンドル本体側に係止されるようにし、ハンドル本体側に前記係止を解除するための係止解除ボタンを配置し、該係止解除ボタンを押すと側方突出部に対する係止が解除され、該側方突出部がハンドル本体の内部に配置されたスプリングの弾発力により、ハンドル本体の内部から側方突出位置に向けて押し出されるようにしたことを特徴とするものである。
【発明の効果】
【０００６】
本発明は、傘の不使用時、ハンドル部分の側方突出部を引っ込めることができるので、傘のハンドル部分が横幅方向にかさばることがなく傘をコンパクトにでききわめて便利である。
【図面の簡単な説明】
【０００７】
【図１】本発明に係る傘のハンドルの正面図である。
【図２】傘のハンドルの側方突出部を引っ込めた状態の正面図である。
【図３】同上、断面図である。
【図４】Ａ−Ａ線断面図である。
【図５】Ｂ−Ｂ線断面図である。
【図６】傘のハンドルの側方突出部の外観説明図である。
【図７】傘のハンドルの側方突出部を下向きに押圧した状態の正面図である。
【図８】傘のハンドルの側方突出部にチューブカバーを被せた状態の正面図である。
【発明を実施するための形態】
【０００８】
以下に本発明の構成を添付した図面を参照して詳細に説明する。
図１は、長傘のシャフト２の下端に取り付けられたハンドル部分４を示している。長傘のシャフト２には、傘本体（図示省略）が取り付けられている。ハンドル部分４は、シャフト２に連結する直線方向に延びる筒状のハンドル本体６と、該本体６から側方に突出する側方突出部８とから構成され、該側方突出部８が本体６から側方に突出した状態において、ハンドル部分４は、全体として、Ｕ字形又はＬ字状を形成する。
【０００９】
本体６は、傘をさすときに傘を持つのための握りに適した長さを有する金属又はプラスチック等からなる直管部材により構成され、内部に側方突出部８の全体を収納可能な空間部６ａを有している。空間部６ａにはコイルスプリング７が圧縮配置され、側方突出部８の後端を本体６から突出する方向に弾発している。側方突出部８は、複数の小ブロック８ａが互いに連結して構成され、全体として所定の長さを有する棒形状となっている。側方突出部８は、まっすぐな状態から所定方向に所定角度わん曲した状態との間で屈曲自在に構成されている。各小ブロック８ａは、金属又はプラスチック等により構成され、図６に示すように、一方の面に結合部１０が突設され、他方の面に溝部１２が形成されている。隣接する一対の小ブロック８ａの一方の小ブロック８ａの結合部１０が他方の小ブロック８ａの溝部１２に挿入され、互いに回転自在に軸１４支されている。
【００１０】
各小ブロック８ａは、互いに平行な前記各軸１４に対して垂直な平面内で、結合部１０の両側面に沿って回転自在であり、該回転範囲の上限と下限は、連結する一対の小ブロック８ａの一方に形成された係止面１６と他方に形成された上限係止面１８及び下限係止面２０とにより規制されている。側方突出部８がまっすぐな状態のとき、図７に示すように、連結する一対の小ブロック８ａの係止面１６と下限係止面２０同しが衝突し、各小ブロック８ａは、回転範囲の下限に位置する。側方突出部８は、このまっすぐな状態から、回転範囲の上限に向けて略９０度所定方向に屈曲することができ、回転範囲の上限に達すると、屈曲部において、連結する一対の小ブロック８ａの係止面１６と上限係止面１８同しが衝突する。
【００１１】
側方突出部８の各小ブロック８ａは、これらを貫通する弾力性のあるワイヤ２２により互いの結合状態が補強され、且つ、側方突出部８は、このワイヤ２２の屈曲方向に働く弾力性により無負荷状態のとき、図１に示すように、屈曲可能方向に若干上向きに屈曲した状態となるように設定され、ハンドル部分４が略Ｕ字状となるようにしている。側方突出部８の先端の小ブロック８ａには、本体６に形成されたわん曲ガイド面２４に対応する曲面を有するガイド面２６が形成されている。また、先端の小ブロック８ａには、側方突出部８が本体６に収納されたとき、本体６の下部開口部２８を蓋ぐカバー３０が設けられている。
【００１２】
前記側方突出部８の後端の小ブロック８ａには、前記わん曲ガイド面２４に対応する曲面を有するガイド面３２が形成されている。本体６の管壁には、長手方向に沿って一対のガイド溝３４が互いに１８０度の間隔を存して形成され、これらに側方突出部８の先端の小ブロック８ａに固設されたピン３６がスライド自在に挿入配置されている。前記ガイド溝３４の下端には、直角方向に突出する係止部３４ａが形成されている。本体６の下部には、係止穴３８が形成され、これに対応して先端の小ブロック８ａにコイルばね４０により突出方向に付勢された係止ピン４２が突出後退方向に移動自在に突出方向に弾発配置されている。
【００１３】
次に本実施形態の作用について説明する。
側方突出部８が本体６の開口部２８から限界位置まで完全に引き出された状態において、ピン３４ａはガイド溝３４の係止部３４ａに嵌入し、これに係止され、ピン３４ａを中心とする側方突出部８の本体６に対する図１中、時計方向即ち下方向への回転は、後端の小ブロック８ａのガイド面３２が、わん曲ガイド面２４に当接することで阻止されている。該突出状態において側方突出部８は、通常は、ワイヤ２２の弾力により上向きにわん曲している。この側方突出部８は、下向きに大きな圧力をかけても、図７に示すように、各小ブロック８ａの係止面１６に対して各小ブロック８ａの下限係止面２０がそれぞれ当接し、全体としてまっすぐな状態に係止され、側方突出部８はこの状態から更に下向きに屈曲することがない。
【００１４】
側方突出部８を、本体６内に引込める場合には、まず、側方突出部８を手で持って、図１中、左方向に押動して、ピン３６を、ガイド溝３４の係止部３４ａから外す。次に側方突出部８をガイド溝３４に沿ってピン３６の案内により本体６の空間部６ａの奥方向にスプリング７の弾発力に抗して押し込む。この押し込み動作により、側方突出部８は、開口部２８からガイド面２４に案内され、該ガイド面２４によって屈曲されて、本体６の空間部６ａの奥方向に導かれる。側方突出部８が全て、本体６内に収納されると、係止ピン４２が係止穴３８に自動的に嵌入し、側方突出部８は本体６に係止される。係止ピン４２は、本体６から若干突出する部分が係止解除ボタンを構成し、このボタンを押すと、係止ピン４２による係止状態において側方突出部８は、スプリング７の弾発力により、開口部２８から突出する方向に弾発される。係止ピン４２の突出部即ち係止解除ボタンを指で押すと、係止ピン４２が係止穴３８から外れ易くなるように構成されており、係止解除ボタンを押すと、スプリング７の弾発力によって係止ピン４２が係止穴３８から外れるように構成されている。また側方突出部８を、本体６内に押し込めた該状態において、図２に示すようにカバー３０が本体６の開口部２８を蓋ぐ。
【００１５】
図２に示す側方突出部８を、本体６内に押し込めた状態から、外に引き出す場合には、指で係止ピン４２を係止穴３８に押し込み、係止ピン４２が、係止穴３８から外れ易い状態にすると、スプリング７の弾発力により、係止ピン４２が係止穴３８から外れ、側方突出部８がスプリング７の弾発力により本体６から外方に押し出される。側方突出部８は、本体６の内部から開口部２８を経て外に押し出されるとき、ガイド面２４に案内されて略９０度所定方向に屈曲しながら側方に導かれる。ある程度側方突出部８の先端が外方に押し出されたところで、手で所定の突出限界位置まで、側方突出部８の先端を引き出す。このときピン３４ａはガイド溝３４の係止部３４ａに嵌入し、これに係止される。
【００１６】
なお、本体６に別途に係止解除ボタンを設け、これを係止ピン４２に連係し、この係止解除ボタン押すことで、係止ピン４２が、係止穴３８から外れるように構成しても良い。
上記側方突出部８は、図８に示すようにゴム、柔軟性のある合成樹脂等のチューブカバー４４で覆うようにしても良い。尚、本発明の実施に際しては、長傘の柄に特に限定されるものではなく、折り畳み式の傘に用いても良い。
【符号の説明】
【００１７】
２      シャフト
４      ハンドル部分
６      ハンドル本体
６ａ    空間部
８      側方突出部
８ａ    小ブロック
１０    結合部
１２    溝部
１４    軸
１６    係止面
１８    上限係止面
２０    下限係止面
２２    ワイヤ
２４    わん曲ガイド面
２６    ガイド面
２８    開口部
３０    カバー
３２    ガイド面
３４    ガイド溝
３４ａ  係止部
３６    ピン
３８    係止穴
４０    コイルばね
４２    係止ピン
４４    チューブカバー
【図１】
0005536741.tif 000002
【図２】
0005536741.tif 000003
【図３】
0005536741.tif 000004
【図４】
0005536741.tif 000005
【図５】
0005536741.tif 000006
【図６】
0005536741.tif 000007
【図７】
0005536741.tif 000008
【図８】
0005536741.tif 000009